(57)【要約】【課題】駒部材を複数の駒体で構成する場合に、外観に優れ、割れ等の破損を生じにくいバンド及び時計を提供する。【解決手段】バンド２を構成する駒部材３が、バンド幅方向に延在する第１の軸孔４６が形成された内側駒体４と、内側駒体４の両側部にそれぞれ配置され、第１の軸孔４６に対応する位置に第２の軸孔５２が形成された外側駒体５と、第１の軸孔４６・第２の軸孔５２に挿通され、内側駒体４と外側駒体５とを連結する軸部材６と、軸部材６の両端部近傍にそれぞれ設けられ、第２の軸孔５２内に配置される防水リング６３と、外側駒体５の表面に開口し、第２の軸孔５２における防水リング６３が配置される位置よりもバンド幅方向の端部寄りの部分に連通して、封止剤を注入するための連通孔５３と、第２の軸孔５２における防水リング６３よりもバンド幅方向の端部寄りの部分に封止剤で形成され、軸部材６の抜けを防止する封止部５０とを備えている。【選択図】図２
2018099447.tif 000002
【特許請求の範囲】
【請求項１】
駒部材を複数連結してなるバンドであって、
複数の前記駒部材のうちの少なくとも１つは、
バンド幅方向に延在して貫通孔である第１の軸孔が形成された内側駒体と、
前記内側駒体における前記バンド幅方向の両側部にそれぞれ配置され、前記第１の軸孔に対応する位置に第２の軸孔が形成された外側駒体と、
前記第１の軸孔及び前記第２の軸孔に挿通され、前記内側駒体と前記外側駒体とを連結して一体化させる軸部材と、
前記軸部材の両端部近傍にそれぞれ設けられ、前記第２の軸孔内に配置されるリング部材と、
前記外側駒体の表面に開口し、前記第２の軸孔における前記リング部材が配置される位置よりも前記バンド幅方向の端部寄りの部分に連通して、封止剤を注入するための連通孔と、
前記第２の軸孔における前記リング部材よりも前記バンド幅方向の端部寄りの部分に前記封止剤で形成され、前記軸部材の抜けを防止する封止部と、
を備えていることを特徴とするバンド。
【請求項２】
前記第２の軸孔は、前記バンド幅方向における外側端部が閉じていることを特徴とする請求項１に記載のバンド。
【請求項３】
前記連通孔は、腕に装着した際に腕と対向するバンド内側面に開口していることを特徴とする請求項１又は請求項２に記載のバンド。
【請求項４】
前記軸部材の端部近傍には、前記軸部材の他の部分よりも径の細い細軸部が形成され、前記細軸部は、前記連通孔とほぼ対応する位置に配置されていることを特徴とする請求項１から請求項３のいずれか一項に記載のバンド。
【請求項５】
前記軸部材の端部近傍には、前記軸部材の他の部分よりも径の細い細軸部が形成され、前記細軸部と前記連通孔の位置は、ずれて配置されていることを特徴とする請求項１から請求項３のいずれか一項に記載のバンド。
【請求項６】
前記軸部材の端部近傍には、前記軸部材の他の部分よりも径の細い細軸部が形成され、前記連通孔は、前記軸部を超えて反対側まで設けられていることを特徴とする請求項１から請求項３のいずれか一項に記載のバンド。
【請求項７】
前記内側駒体には、前記バンド幅方向に延在し、前記第１の軸孔とほぼ平行する貫通孔である第３の軸孔が形成され、
前記外側駒体には、前記第３の軸孔に対応する位置に前記第２の軸孔とほぼ平行する第４の軸孔が形成されており、
前記第３の軸孔及び前記第４の軸孔に挿通される補助軸部材をさらに備えていることを特徴とする請求項１から請求項６のいずれか一項に記載のバンド。
【請求項８】
請求項１から請求項７のいずれか一項に記載のバンドと、
このバンドが取り付けられた外装ケースと、
を備えていることを特徴とする時計。
【発明の詳細な説明】
【技術分野】
【０００１】
本発明は、バンド及び時計に関するものである。
【背景技術】
【０００２】
従来、腕時計等のバンドとして、複数の駒部材を連結して長尺なバンドを構成するものが知られている。
近年、このようなバンドの駒部材を例えばセラミック等で形成し、従来の金属製のバンド等とは異なる趣のバンドを実現する試みも行われている。
【０００３】
しかし、セラミック等は比較的割れやすい脆弱材料であり、従来の金属製の駒部材のように連結軸を圧入することで駒部材を形成しようとした場合には、割れたりひびが入る等の不具合が発生しやすい。
この点、例えば、特許文献１には、バンド幅方向の中央部に配置される内側駒体と内側駒体におけるバンド幅方向の両側部にそれぞれ配置される外側駒体とで構成される駒部材を、中空弾性管体である連結軸を内側駒体及び外側駒体に形成された貫通孔内に圧入することで連結し、さらに接着剤を注入することで内側駒体と外側駒体とを強固に固定する構成が開示されている。
【先行技術文献】
【特許文献】
【０００４】
【特許文献１】特開２０１５−２１７２７３号公報
【発明の概要】
【発明が解決しようとする課題】
【０００５】
しかしながら、単に接着剤等の封止剤を用いて駒部材の組み立てを行おうとすると、封止剤の漏れにより内側駒体と外側駒体とが完全にくっ付いてしまう不具合が生じる。
また、特に、粘性の低い封止剤を使用した場合には、内側駒体や外側駒体の外側まで封止剤が流れ出て、駒部材の外表面に付着し、駒部材の外観を損ねてしまうおそれもある。
【０００６】
この点、特許文献１には、接着剤の使用量を各部の寸法に合わせて調整する旨記載されている。
しかし、このような調整を行うのは手間がかかり、駒部材の製造において歩留まりが悪くなる。
【０００７】
また、腕時計等のバンドは日常的に用いられ、外部からの衝撃に晒されやすいものであるため、これを構成する駒部材については、日常的な使用に耐え得る耐衝撃性を備えることが求められる。
この点、セラミック等の脆弱材料で駒部材を形成した場合、落下の衝撃等に弱く、特に機器ケース（腕時計ケース）に取り付けられる連結部分の駒部材については、落下等の衝撃により割れが発生しやすいとの問題もある。
【０００８】
本発明は以上のような事情に鑑みてなされたものであり、駒部材を複数の駒体で構成する場合に、外観に優れ、耐衝撃性を備えるバンド及び時計を提供することを目的とするものである。
【課題を解決するための手段】
【０００９】
前記課題を解決するために、本発明に係るバンドは、
駒部材を複数連結してなるバンドであって、
複数の前記駒部材のうちの少なくとも１つは、
バンド幅方向に延在して貫通孔である第１の軸孔が形成された内側駒体と、
前記内側駒体における前記バンド幅方向の両側部にそれぞれ配置され、前記第１の軸孔に対応する位置に第２の軸孔が形成された外側駒体と、
前記第１の軸孔及び前記第２の軸孔に挿通され、前記内側駒体と前記外側駒体とを連結して一体化させる軸部材と、
前記軸部材の両端部近傍にそれぞれ設けられ、前記第２の軸孔内に配置されるリング部材と、
前記外側駒体の表面に開口し、前記第２の軸孔における前記リング部材が配置される位置よりも前記バンド幅方向の端部寄りの部分に連通して、封止剤を注入するための連通孔と、
前記第２の軸孔における前記リング部材よりも前記バンド幅方向の端部寄りの部分に前記封止剤で形成され、前記軸部材の抜けを防止する封止部と、
を備えていることを特徴としている。
【発明の効果】
【００１０】
本発明によれば、バンドを構成する駒部材を複数の駒体で構成する場合に、外観に優れ、耐衝撃性をも備えるという効果を奏する。
【図面の簡単な説明】
【００１１】
【図１】本実施形態におけるバンドを備える腕時計の斜視図である。
【図２】図１のバンドを構成する駒部材の要部平面図である。
【図３】図２における矢視IIIから駒部材３の一部分を見た要部斜視図である。
【図４】バンドを構成する駒部材の一変形例の要部平面図である。
【図５】バンドを構成する駒部材の一変形例の要部平面図である。
【発明を実施するための形態】
【００１２】
以下、図１から図３を参照しつつ、本発明に係るバンド及びバンドを備える時計の好適な一実施形態について説明する。なお、以下では、バンドが腕時計のバンドである場合について説明するが、本発明を適用可能な実施形態はこれに限定されるものではない。
【００１３】
図１は、本実施形態に係る時計である腕時計の斜視図である。
図１に示すように、本実施形態において、腕時計１００は、外装ケースとしての腕時計ケース１と、この腕時計ケース１に取り付けられたバンド２とを備えている。
【００１４】
腕時計ケース１の上下両端部（図１において上下端部）、つまり時計の１２時方向側端部及び６時方向側端部には、バンド２が取り付けられるバンド取付部１１が形成されている。
また、腕時計ケース１の視認側には透明なガラス等で形成された風防部材１２が取り付けられている。
腕時計ケース１の内部には、腕時計１００の表示装置等やこの表示装置等を動作させるための各種電子部品等（図示せず）が収容されている。
【００１５】
本実施形態において、バンド２は、複数の駒部材３を連結することで構成されている。
本実施形態において、バンド２を構成する個々の駒部材３は、例えば、ジルコニア、アルミナ等のセラミックや、ガラス等で形成されている。
図２は、本実施形態におけるバンド２を構成する駒部材３を裏面側（腕時計１００の視認側とは反対側、すなわち、腕に接触する側）から見た平面図であり、図３は、図２における矢視IIIから駒部材３の一部分を見た要部斜視図である。
【００１６】
図１から図３に示すように、本実施形態のバンド２を構成する駒部材３は、内側駒体４と、内側駒体４におけるバンド幅方向の両側部にそれぞれ配置された外側駒体５とを備えている。
一対の外側駒体５は、内側駒体４に対してバンド２の延在方向の一側にずれて配置されている。
外側駒体５がバンド２の延在方向の一側にずれて突出することで内側駒体４と外側駒体５との間に形成される凹部を連結凹部３１とする。
また、内側駒体４のうち外側駒体５よりも突出している部分は、駒部材３同士を連結させてバンド２を構成した際に隣接する駒部材３の連結凹部３１に嵌るようになっている。この突出部を連結凸部３２とする。
【００１７】
本実施形態の内側駒体４は、中部材４２及びこの中部材４２の両側に配置された一対の側部材４１，４３より構成されており、貫通孔である第１の軸孔４６がバンド幅方向に延在して形成されている。なお、内側駒体４が３つの部材で構成されていることは必須ではなく、例えば、１つの部材で構成されていてもよい。また、４つ以上の部材で構成されていてもよい。
なお、内側駒体４を複数の部材で構成した場合には、各部材の材質や色、表面加工等の異なるものを組み合わせてバリエーション豊かな駒部材を実現することができる。
以下においては、単に内側駒体４としたときには、中部材４２及び側部材４１，４３を合わせたものとする。
【００１８】
本実施形態において、内側駒体４の連結凸部３２には、駒部材３同士を連結させる図示しない連結軸部材が挿入される貫通孔４５が形成されている。
また、内側駒体４には、バンド幅方向に延在して貫通孔である第１の軸孔４６が形成されている。
さらに、本実施形態の内側駒体４には、バンド幅方向に延在し、第１の軸孔４６とほぼ平行する貫通孔である第３の軸孔４７が形成されている。
【００１９】
本実施形態において、外側駒体５における連結凹部３１を構成する部分であって、駒部材３同士を連結させた際に隣接する駒部材３の内側駒体４に形成されている貫通孔４５に対応する位置には、前述の連結軸部材が挿入される貫通孔５１が形成されている。
本実施形態では、駒部材３の連結凸部３２をこれに隣接する駒部材３の連結凹部３１に嵌め合わせて、内側駒体４の貫通孔４５と外側駒体５の貫通孔５１を連通状態とした上で連結軸部材を貫通孔４５及び貫通孔５１挿通させることで、隣接する駒部材３同士が連結される。
【００２０】
また、外側駒体５には、組み立て状態において内側駒体４の第１の軸孔４６に対応する位置に第２の軸孔５２が形成されている。
本実施形態では、第２の軸孔５２は、バンド幅方向における外側端部が閉塞されている。このように、第２の軸孔５２におけるバンド幅方向における外側端部を閉塞して貫通孔としないことにより、後述する封止剤を第２の軸孔５２内に注入した際、封止剤が駒部材３の外側に漏れ出さず、駒部材３の外表面への封止剤の付着を防ぐことができる。
組み立て状態において、第１の軸孔４６及び第２の軸孔５２には、軸部材６が挿通されるようになっている。
【００２１】
軸部材６は、例えばステンレス等の金属材料で形成されており、第１の軸孔４６及び第２の軸孔５２に挿通され、内側駒体４と外側駒体５とを連結して一体化させるものである。
軸部材６の両端部近傍には、それぞれ軸部材６の他の部分よりも径の細い第１の細軸部６１が形成されている。
また、軸部材６の両端部近傍であって第１の細軸部６１よりも軸部材６の中央部寄りには、それぞれ、第１の細軸部６１と同様に軸部材６の他の部分よりも径の細い第２の細軸部６２が形成されており、この第２の細軸部６２には、樹脂等で形成された防水リング６３（リング部材）が嵌め込まれている。
【００２２】
防水リング６３は、組み立て状態において第２の軸孔５２内に配置される。
防水リング６３は、第２の軸孔５２の内側面に当接し、ある程度摺動可能であるが、気密性を保つことは可能となっており、後述する封止剤が注入された際には、防水リング６３よりも軸部材６の延在方向中央部側に封止剤等が流出しないようになっている。
【００２３】
さらに、第２の軸孔５２における防水リング６３が配置される位置よりもバンド幅方向の端部寄りの部分には、後述する封止剤を注入するための連通孔５３が、第２の軸孔５２に連通するとともに、外側駒体５の表面に開口するように設けられている。
本実施形態では、連通孔５３は、バンド２を腕に装着した際に腕と対向するバンド内側面に開口している。これにより、連通孔５３の開口部が視認側に露出せず、バンド２の外観に影響しないようにすることができる。
【００２４】
第２の軸孔５２における防水リング６３よりもバンド幅方向の端部寄りの部分には、連通孔５３から注入された封止剤が固化（硬化）することで形成され、軸部材６の抜けを防止する封止部５０が設けられる。
なお、封止部５０を構成する封止剤は、確実に固化（硬化）して固化状態の形状を維持できるものであればよく、各種の接着剤の他、熱等で硬化する樹脂等を適用することができる。
本実施形態では、前述のように軸部材６の先端部寄りに第１の細軸部６１が設けられており、この第１の細軸部６１は、図２及び図３に示すように、第２の軸孔５２内において連通孔５３の位置とほぼ対応する位置に配置される。
これにより、連通孔５３から封止剤を注入した際には、封止剤が第１の細軸部６１の周りに回り込み、この状態で封止剤が固化することによって、軸部材６の抜けが確実に防止される。
【００２５】
また、外側駒体５には、組み立て状態において内側駒体４の第３の軸孔４７に対応する位置に第２の軸孔５２とほぼ平行する第４の軸孔５５が形成されている。
組み立て状態において、第３の軸孔４７及び第４の軸孔５５には、補助軸部材７が挿通されるようになっている。
補助軸部材７は、例えばステンレス等の金属材料で形成されている。
軸部材６の他に補助軸部材７を設けることにより、内側駒体４と外側駒体５との間のがたつき等を防止することができ、また、より確実に内側駒体４と外側駒体５とを一体化させることができる。
【００２６】
次に、本実施形態におけるバンド２及びこれを適用した時計である腕時計１００の作用について説明する。
【００２７】
本実施形態において、軸部材６の両端部近傍の第２の細軸部６２に防水リング６３を取り付け、内側駒体４の第１の軸孔４６に軸部材６を挿入する。
また、内側駒体４の第３の軸孔４７に補助軸部材７を挿入する。
次に、内側駒体４の、バンド幅方向における両側部にそれぞれ外側駒体５を取り付ける。
具体的には、内側駒体４の第１の軸孔４６に対応する位置に第２の軸孔５２が配置され、内側駒体４の第３の軸孔４７に対応する位置に第４の軸孔５５が配置されるように外側駒体５を配置して、第２の軸孔５２内に軸部材６の端部を挿入し、第４の軸孔５５内に補助軸部材７の端部を挿入することで内側駒体４と外側駒体５とを一体化させる。
そして、第２の軸孔５２に連通する連通孔５３から封止剤を注入した際には、封止剤が第１の細軸部６１の周りに回り込み、この状態で封止剤が固化することによって、軸部材６の抜けが確実に防止される。
これによって駒部材３が完成する。
【００２８】
バンド２を形成する際には、上記のように完成した駒部材３における内側駒体４の連結凸部３２を隣接する駒部材３における外側駒体５の連結凹部３１内に嵌め込み、貫通孔４５，５１に図示しない連結軸部材を挿入することによって駒部材３同士を連結させる。バンド２として必要な長さ分駒部材３を連結させることでバンド２が完成する。
さらに、バンド２の端部に位置する駒部材３を腕時計ケース１のバンド取付部１１に取り付ける。これによって、バンド２を備える腕時計１００が完成する。
【００２９】
このようなバンド２は、駒部材３の組み立てを行う際に軸部材６を部品に圧入する必要がないため、圧力や衝撃がかかることにより割れやひび等を生じやすいセラミック等の脆弱材料でも駒部材３を形成することができる。
また、内側駒体４と外側駒体５とを連結させる軸部材６に樹脂等で形成された防水リング６３を設けているため、外部からの衝撃を防水リング６３によって吸収することができ、駒部材３の耐衝撃性が向上する。
【００３０】
以上のように、本実施形態によれば、駒部材３の組み立てを封止剤によって行うため、軸部材を圧入固定するような行程が不要となる。
このため、圧入の際の強い力が加わると割れやひびを生じるおそれのあるセラミック等の脆弱材料によっても駒部材３を形成することができる。
また、軸部材６に防水リング６３を設けて、この防水リング６３により封止剤の流出を防ぐことができる。このため、封止剤によって固化する部分（すなわち封止部５０）を外側駒体５の第２の軸孔５２内に留めることができ、内側駒体４と外側駒体５との動きが阻害されない。これにより、駒部材３を連結して形成されたバンド２を腕になじみのよいものとすることができる。
また、第２の軸孔５２は、バンド幅方向における外側端部が閉じているため、封止剤が第２の軸孔５２の外側部に流れ出すのを防止することができる。
このように封止剤が外部に漏れ出さないため、駒部材の外表面に封止剤が付着することがなく、外観の美しい駒部材３及びバンド２を形成することができる。
また、第２の軸孔５２内に封止剤を注入する連通孔５３は、腕に装着した際に腕と対向するバンド２の内側面に開口している。このため、バンド２を装着した際に連通孔５３の開口部が外側に露出せず、バンド２の外観を害さない。
さらに、軸部材６に防水リング６３を設けている。このため、防水リング６３が緩衝材の機能を果たし、バンド２に加えられた衝撃を吸収して駒部材３やバンド２の破損を防ぐことができる。
また、本実施形態では、軸部材６の他に、軸部材６とほぼ平行して配置された補助軸部材７をさらに備えている。これにより、内側駒体４と外側駒体５とをより確実に一体化させることができ、また、内側駒体４と外側駒体５との間のがたつき等も効果的に抑えることができる。
【００３１】
なお、以上本発明の実施形態について説明したが、本発明は、かかる実施形態に限定されず、その要旨を逸脱しない範囲で、種々変形が可能であることは言うまでもない。
【００３２】
例えば、本実施形態では、連通孔５３は、図２〜図５に示すように第１の細軸部６１や細軸部８１と、ほぼ対応する位置に配置されているが、連通孔５３は、第１の細軸部６１や細軸部８１に対して位置がずれて（バンド幅方向と直交する方向、図２、図４、図５において上下方向にずれて）設けられても良い。さらに、連通孔５３は、第１の細軸部６１や細軸部８１を超えて反対側まで延長されて（外側駒体５の厚さ方向（図３の下方向）にまで）設けられても良い。
これらの場合も、連通孔５３から封止剤を注入した際には、封止剤が第１の細軸部６１や細軸部８１の周りに回り込み、この状態で封止剤が固化することによって、軸部材６の抜けを確実に防止することができる。
【００３３】
また、例えば、本実施形態では、防水リング６３を軸部材６の両端部近傍のみに設ける例を示したが、防水リングを設ける位置や数はこれに限定されない。
例えば、図４に示すように、軸部材８の細軸部８１よりも中央部寄りに細軸部８２を設けて防水リング８３を取り付ける他、内側駒体４を構成する各部材４１，４２，４３に対応してそれぞれ、細軸部８４，８６，８８を形成し、それぞれに防水リング８５，８７，８９を設けてもよい。
さらに、補助軸部材９にも同様に、外側駒体５内に細軸部９２を設けて防水リング９３を取り付ける他、内側駒体４を構成する各部材（本実施形態では、中部材４２とこの両側に配置された一対の側部材４１，４３）に対応してそれぞれ、細軸部９４，９６，９８を形成し、それぞれに防水リング９５，９７，９９を設けてもよい。
このように防水リングを設ける数を増やした場合には、防水リングによる緩衝効果をより一層期待することができる。
なお、防水リングを設ける位置はこれより少なくてもよいし、各部材（中部材４２及び側部材４１，４３等）に２つ以上防水リングを設けてもよい。
【００３４】
また、図５に示すように、同様の構成の軸部材６を複数本（図５では２本）、ほぼ平行して配置し、外側駒体５内であってそれぞれの軸部材６の端部側に封止部５０を形成してもよい。
この場合にはより強固に軸部材６の抜けを防止することができ、駒部材３の一体化を図ることができる。
なお、このように軸部材６を複数設けた場合に、これらすべてに図４に示すような複数の防水リングを取り付けてもよい。
この場合には、防水リングによる緩衝効果がより大きくなることが期待できる。
【００３５】
また、本実施形態では、内側駒体４に対して外側駒体５が自由に回転する等、内側駒体４と外側駒体５との間のがたつきを抑えるために補助軸部材７を設ける構成を例示したが、補助軸部材７を設けることは必須ではない。
例えば、軸部材６をその軸断面が楕円形状や四角形状等、円形状以外の形状とした場合には、補助軸部材７を設けなくても内側駒体４と外側駒体５との間のがたつきを抑えることができる。
【００３６】
また、例えば、バンド２は、これを構成する全ての駒部材３が本実施形態で示した構成のものでなくてもよい。
バンド２は、これを構成する複数の駒部材３のうちの少なくとも１つが本実施形態で示した構成を有していればよく、例えば金属製の駒部材と本実施形態で示した駒部材３とを交互に配置してもよい。
また、例えば、バンド２を構成する駒部材のうち、衝撃を受けた際に力が加わりやすい時計ケース１との接続部分だけは金属製の駒部材等、異なる構成の駒部材を配置してもよい。
【００３７】
また、本実施形態では、バンド２が腕時計１００に設けられている場合を例示したが、本発明のバンド２を適用可能な機器は、腕時計に限定されない。
バンドを備える機器であれば、本発明のバンド２を広く適用することができる。
【００３８】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
駒部材を複数連結してなるバンドであって、
複数の前記駒部材のうちの少なくとも１つは、
バンド幅方向に延在して貫通孔である第１の軸孔が形成された内側駒体と、
前記内側駒体における前記バンド幅方向の両側部にそれぞれ配置され、前記第１の軸孔に対応する位置に第２の軸孔が形成された外側駒体と、
前記第１の軸孔及び前記第２の軸孔に挿通され、前記内側駒体と前記外側駒体とを連結して一体化させる軸部材と、
前記軸部材の両端部近傍にそれぞれ設けられ、前記第２の軸孔内に配置されるリング部材と、
前記外側駒体の表面に開口し、前記第２の軸孔における前記リング部材が配置される位置よりも前記バンド幅方向の端部寄りの部分に連通して、封止剤を注入するための連通孔と、
前記第２の軸孔における前記リング部材よりも前記バンド幅方向の端部寄りの部分に前記封止剤で形成され、前記軸部材の抜けを防止する封止部と、
を備えていることを特徴とするバンド。
＜請求項２＞
前記第２の軸孔は、前記バンド幅方向における外側端部が閉じていることを特徴とする請求項１に記載のバンド。
＜請求項３＞
前記連通孔は、腕に装着した際に腕と対向するバンド内側面に開口していることを特徴とする請求項１又は請求項２に記載のバンド。
＜請求項４＞
前記軸部材の端部近傍には、前記軸部材の他の部分よりも径の細い細軸部が形成され、前記細軸部は、前記連通孔とほぼ対応する位置に配置されていることを特徴とする請求項１から請求項３のいずれか一項に記載のバンド。
＜請求項５＞
前記軸部材の端部近傍には、前記軸部材の他の部分よりも径の細い細軸部が形成され、前記細軸部と前記連通孔の位置は、ずれて配置されていることを特徴とする請求項１から請求項３のいずれか一項に記載のバンド。
＜請求項６＞
前記軸部材の端部近傍には、前記軸部材の他の部分よりも径の細い細軸部が形成され、前記連通孔は、前記軸部を超えて反対側まで設けられていることを特徴とする請求項１から請求項３のいずれか一項に記載のバンド。
＜請求項７＞
前記内側駒体には、前記バンド幅方向に延在し、前記第１の軸孔とほぼ平行する貫通孔である第３の軸孔が形成され、
前記外側駒体には、前記第３の軸孔に対応する位置に前記第２の軸孔とほぼ平行する第４の軸孔が形成されており、
前記第３の軸孔及び前記第４の軸孔に挿通される補助軸部材をさらに備えていることを特徴とする請求項１から請求項６のいずれか一項に記載のバンド。
＜請求項８＞
請求項１から請求項７のいずれか一項に記載のバンドと、
このバンドが取り付けられた外装ケースと、
を備えていることを特徴とする時計。
【符号の説明】
【００３９】
１      腕時計ケース（外装ケース）
２      バンド
３      駒部材
４      内側駒体
５      外側駒体
６      軸部材
７      補助軸部材
５３    連通孔
６３    防水リング（リング部材）
１００  腕時計（時計）
【図１】
2018099447.tif 000003
【図２】
2018099447.tif 000004
【図３】
2018099447.tif 000005
【図４】
2018099447.tif 000006
【図５】
2018099447.tif 000007